(57)【特許請求の範囲】
【請求項１】
固定フレームと、前記固定フレームの上部に回転結合されるカバーフレームと、前記固定フレームと前記カバーフレームとの間に介在される弾性部材と、を含んで構成され、  前記固定フレームには、その上端部の下側に下方向に膨らんで形成される突出部と、前記突出部に内側下向きに開放形成される軸溝と、が備えられ、  前記カバーフレームには、前記軸溝に挿入される回転軸と、前記回転軸の内側下向きに尖って形成され、前記弾性部材によって弾性支持される圧着片と、前記回転軸を軸として上方へ回転する前記カバーフレームの本体部分と前記圧着片とを連結する連結片と、を備え、  前記固定フレームの前記上端部の下側に、下方向に突出されて前記弾性部材を加圧する加圧片が形成される  ことを特徴とする非干渉前面開閉型フレームの構造。
【請求項２】
固定フレームと、前記固定フレームの上部に回転結合されるカバーフレームと、前記固定フレームと前記カバーフレームとの間に介在される弾性部材と、を含んで構成され、  前記固定フレームには、その上端部の下側に下方向に膨らんで形成される突出部と、前記突出部に内側下向きに開放形成される軸溝と、が備えられ、  前記カバーフレームには、前記軸溝に挿入される回転軸と、前記回転軸の内側下向きに尖って形成され、前記弾性部材によって弾性支持される圧着片と、前記回転軸を軸として上方へ回転する前記カバーフレームの本体部分と前記圧着片とを連結する連結片と、を備え、  前記カバーフレームの本体部分の下側に、前記固定フレームに接して支持される支持片が形成される  ことを特徴とする非干渉前面開閉型フレームの構造。
【請求項３】
前記固定フレームの突出部と軸溝は、同じ中心の円弧状に形成される 請求項１または２に記載の非干渉前面開閉型フレームの構造。
【請求項４】
前記カバーフレームの連結片と前記固定フレームの軸溝は、同じ中心の円弧状に形成される 請求項１または２に記載の非干渉前面開閉型フレームの構造。
【請求項５】
前記固定フレームの軸溝の開放角度は１８０°以上２７０°以下である 請求項１または２に記載の非干渉前面開閉型フレームの構造。
【請求項６】
前記カバーフレームの圧着片の上部と下部が鋭角を成す状態で前記圧着片が前記回転軸に内側下向きに尖って形成される 請求項１または２に記載の非干渉前面開閉型フレームの構造。
【請求項７】
前記カバーフレームの回転軸と前記圧着片との間に前記回転軸と前記圧着片を連結する連結部が前記回転軸に内側下向きに傾斜して形成される 請求項１または２に記載の非干渉前面開閉型フレームの構造。
【請求項８】
前記加圧片の下部に挿入突起が形成され、  前記圧着片の上部に前記挿入突起が挿入される挿入溝が形成される 請求項１に記載の非干渉前面開閉型フレームの構造。
【請求項９】
前記固定フレームの前記上端部が、前記固定フレームの上端に位置する直線状の上板部である 請求項１または２に記載の非干渉前面開閉型フレームの構造。 
【発明の詳細な説明】
【技術分野】
【０００１】
本発明は、カバーフレームを固定フレームを簡便に直下結合することができて前記カバーフレームと固定フレームの組み立てが非常に容易なだけでなく、外部衝撃によって前記カバーフレームが前記工程フレームから分離されることをより容易に防止することができることはもちろん、前記カバーフレームの回転軸の下部と圧着片の下部との間の上下幅を大幅に減らしてスリム化することができる、非干渉前面開閉型フレームの構造に関する。
【０００２】
また、本発明は前記カバーフレームが前記固定フレームの干渉なく円滑に前記固定フレームを開閉することができるだけでなく、前記カバーフレームが前記固定フレームを開閉する過程の中で前記軸溝から前記回転軸が離脱することを防止することができ、なお、前記固定フレームと前記カバーフレームを組み立てるのに弾性部材が妨害要素として作用する恐れがないだけでなく、前記カバーフレームが前記固定フレームを閉鎖した状態をより容易に維持することができる、非干渉前面開閉型フレームの構造に関する。
【０００３】
また、本発明は前記カバーフレームが前記固定フレームを開放する場合、前記カバーフレームが建物の壁体などの構造物と接することで干渉される恐れがなく、前記カバーフレームが前記固定フレームをより容易に開放することができるため、額縁フレーム、ドアフレームなどの産業材の金属家具または建築の建具フレームなどに拡張適用することが非常に容易な、悲非干渉前面開閉型フレームの構造に関する。
【先行技術文献】
【特許文献】
【０００４】
【特許文献１】公開特許  第２００７−００９８１１４号
【特許文献２】公開特許  第２００５−０１１７６２３号
【特許文献３】登録特許  第１３８４４３６号
【特許文献４】登録特許  第０７３３３２５号
【特許文献５】登録特許  第０４７５８９７号
【特許文献６】登録実用実案  第０４７４５７３号
【特許文献７】登録実用実案  第０４３４００４号
【特許文献８】公開特許  第２００６−０００３２４５号
【特許文献９】登録実用実案  第０２６３９４５号
【背景技術】
【０００５】
一般に、広く使用されている額縁は、背面に段差部が形成された額縁フレームと、前記額縁フレームの段差部に安着されて別途に備えられた固定部材によって前記額縁フレームに固定される裏板で構成されるが、前記額縁を構成する前記額縁フレームに関する先行技術文献がそれぞれ特許文献１〜９（以下、「先行技術文献１〜９」という。）で提案されている。
【０００６】
しかし、先行技術文献１の場合、蓋フレームの凹部に差し込まれる基礎フレームのリブが前記基礎フレームの下部一側に形成されるため、前記蓋フレームが前記基礎フレームを開放する際、前記蓋フレームが前記基礎フレームの下側外部方向に外れた状態でめくられながら開放するようになり、そのため前記基礎フレームが前記基礎フレームの下側に位置する建物の壁体などの構造物に固定されている場合、前記蓋フレームが前記基礎フレームを開放する過程の中で前記構造物と接することで前記構造物に干渉されるようになり、前記基礎フレームを開放することが難しい問題点がある。
【０００７】
そして、先行技術文献２の場合、全面フレームの湾曲部に差し込まれる固定フレームの回転突起が前記固定フレームの一側上部に形成されるため、前記全面フレームが前記固定フレームを開放する際、前記全面フレームが前記固定フレームの一側外部方向に外れた状態でめくられながら開放するようになり、そのため前記固定フレームが前記固定フレームの一側に位置する建物の壁体などの構造物に固定されている場合、前記全面フレームが前記固定フレームを開放する過程の中で前記構造物と接することで前記構造物に干渉されるようになり、前記固定フレームを開放することが難しい問題点がある。
【０００８】
そして、先行技術文献３の場合、蓋フレームの軸溝に差し込まれる基礎フレームのヒンジ部が前記基礎フレームの一端上部に形成されるため、前記蓋フレームが前記基礎フレームを開放する際、前記蓋フレームが前記基礎フレームの一側外部方向に外れた状態でめくられながら開放するようになり、そのため前記基礎フレームが前記基礎フレームの一側に位置する建物の壁体などの構造物に固定されている場合、前記蓋フレームが前記基礎フレームを開放する過程の中で前記構造物と接することで前記構造物に干渉されるようになり、前記基礎フレームを開放することが難しい問題点がある。
【０００９】
また、先行技術文献３の場合、前記蓋フレームに加えられる外力に基礎フレームのヒンジ部が前記蓋フレームの軸溝から離脱されながら前記蓋フレームが前記基礎フレームから容易に分離される恐れがある問題点がある。
【００１０】
そして、先行技術文献４の場合、全面フレームの回転軸が差し込まれる軸溝が前記固定フレームの一端上部に形成されるため、前記全面フレームが前記固定フレームを開放する際、前記全面フレームが前記固定フレームの一側外部方向に外れた状態でめくられながら開放するようになり、そのため前記固定フレームが前記固定フレームの一側に位置する建物の壁体などの構造物に固定されている場合、前記全面フレームが前記固定フレームを開放する過程の中で前記構造物と接することで前記構造物に干渉されるようになり、前記固定フレームを開放することが難しい問題点がある。
【００１１】
また、先行技術文献４の場合、前記軸溝が内側上向きに開放されるため、前記全面フレームに加えられる外力によって前記軸溝から前記回転軸が容易に離脱されながら、前記固定フレームから前記全面フレームが分離される恐れがある問題点がある。
【００１２】
そして、先行技術文献５の場合、本体の軸束が差し込まれる軸溝がカバーの下部一側に形成されるため、前記カバー本体を開放する際、前記カバーが前記本体の一側外部方向に外れた状態でめくられながら開放するようになり、そのため前記本体が前記本体の一側に位置する建物の壁体などの構造物に固定されている場合、前記カバーが前記本体を開放する過程の中で前記構造物と接することで前記構造物に干渉されるようになり、前記本体を開放することが難しい問題点がある。
【００１３】
そして、先行技術文献６の場合、カバーフレームのカバー係止顎が差し込まれるヒンジ溝が前記ベースフレームの一側上部に形成されるため、前記カバーフレームが前記ベースフレームを開放する際、前記カバーフレームが前記ベースフレームの一側外部方向に外れた状態でめくられながら開放するようになり、そのため前記ベースフレームが前記ベースフレームの一側に位置する建物の壁体などの構造物に固定されている場合、前記カバーフレームが前記ベースフレームを開放する過程の中で前記構造物と接することで前記構造物に干渉されるようになり、前記ベースフレームを開放することが難しい問題点がある。
【００１４】
そして、先行技術文献７の場合、全面フレームのヒンジ部が差し込まれる固定フレームの支持片が前記固定フレームの下部一側に形成されるため、前記全面フレームが前記固定フレームを開放する際、前記全面フレームが前記固定フレームの下側外部方向に外れた状態でめくられながら開放するようになり、そのため前記固定フレームが前記固定フレームの下側に位置する建物の壁体などの構造物に固定されている場合、前記全面フレームが前記固定フレームを開放する過程の中で前記構造物と接することで前記構造物に干渉されるようになり、前記固定フレームを開放することが難しい問題点がある。
【００１５】
そして、先行技術文献８の場合、全面フレームの結合溝が開放角度が１８０°以下で小さいため、前記全面フレームの結合溝に固定フレームの結合突起を結合させることが容易ではなく、前記全面フレームと前記固定フレームの組立性が低下する問題点がある。
【００１６】
そして、先行技術文献９は、圧出フレームの折り畳み式全面フレームの回転具を固定フレームの回転具を固定フレームの回転具の結合溝に結合させることが実質的に難しく、無理やり結合させるべきであるため、前記折り畳み式全面フレームと前記固定フレームの組立性が低下する問題点がある。
【発明の概要】
【発明が解決しようとする課題】
【００１７】
本発明は、上述した問題点を解決するために創出されたものであって、カバーフレームを固定フレームを簡便に直下結合することができて前記カバーフレームと固定フレームの組み立てが非常に容易なだけでなく、外部衝撃によって前記カバーフレームが前記固定フレームから分離されることをより容易に防止することができることはもちろん、前記カバーフレームの回転軸の下部と圧着片の下部との間の上下幅を大幅に減らしてスリム化することができる、非干渉前面開閉型フレームの構造を提供することをその目的とする。
【００１８】
また、本発明は前記カバーフレームが前記固定フレームの干渉なく円滑に前記固定フレームを開閉することができるだけでなく、前記カバーフレームが前記固定フレームを開閉する過程の中で前記軸溝から前記回転軸が離脱することを防止することができ、なお、前記固定フレームと前記カバーフレームを組み立てるのに弾性部材が妨害要素として作用する恐れがないだけでなく、前記カバーフレームが前記固定フレームを閉鎖した状態をより容易に維持することができる、非干渉前面開閉型フレームの構造を提供することをその目的とする。
【００１９】
また、本発明は前記カバーフレームが前記固定フレームを開放する場合、前記カバーフレームが建物の壁体などの構造物と接することで干渉される恐れがなく、前記カバーフレームが前記固定フレームをより容易に開放することができるため、額縁フレーム、ドアフレームなどの産業材の金属家具または建築の建具フレームなどに拡張適用することが非常に容易な、悲非干渉前面開閉型フレームの構造を提供することをその目的とする。
【課題を解決するための手段】
【００２０】
前記のような目的を達成するための本発明は、固定フレームと、前記固定フレームに回転結合されるカバーフレームと、前記固定フレームと前記カバーフレームとの間に介在される弾性部材と、を含んで構成され、前記固定フレームには一端の下側方向に一側方向が膨らんで形成される突出部と、前記突出部の内側には内側下向きに開放形成される軸溝と、が備えられ、前記カバーフレームには前記軸溝に挿入される回転軸と、前記回転軸の内側下向きに尖って形成され、前記弾性部材によって弾性支持される圧着片と、他端と前記圧着片を連結する連結片と、を備えることを特徴とする非干渉前面開閉型フレームの構造を提供する。
【００２１】
ここで、前記固定フレームの突出部と軸溝は、同じ中心の円弧状に形成されることが好ましい。
【００２２】
また、前記カバーフレームの連結片と前記固定フレームの軸溝は、同じ中心の円弧状に形成されることが好ましい。
【００２３】
そして、前記固定フレームの軸溝の開放角度は１８０°以上２７０°以下であることが好ましい。
【００２４】
また、前記カバーフレームの圧着片の上部と下部が鋭角を成す状態で前記圧着片が前記回転軸に内側下向きに尖って形成されることが好ましい。
【００２５】
なお、前記カバーフレームの回転軸と前記圧着片との間に前記回転軸と前記圧着片を連結する連結部が前記回転軸に内側下向きに傾斜して形成されることが好ましい。
【００２６】
また、前記固定フレームの内側上部に固定フレームの下部方向に突出されて前記弾性部材を加圧する加圧片が形成されることが好ましい。
【００２７】
及びに、前記加圧片の下部に挿入突起が形成され、前記圧着片の上部に前記挿入突起が挿入される挿入溝が形成されることが好ましい。
【００２８】
そして、前記カバーフレームの中間部の下部に前記固定フレームに安着されて前記カバーフレームを支持する支持片が形成されることが好ましい。
【００２９】
また、前記固定フレームの他側に形成された垂直板部の上端部に前記固定フレームの一側方向に一定長さで水平延長される上板部が形成され、前記上板部の一端の下側に前記突出部が形成されることが好ましい。
【発明の効果】
【００３０】
本発明は、カバーフレームの回転軸を固定フレームの軸溝に簡便に直下結合させることができるため、前記カバーフレームと固定フレームの組み立てが非常に容易なだけでなく、前記軸溝が形成される突出部が前記固定フレームの一端の下側方向に一側方向が膨らんで形成されると共に、前記カバーフレームに備えられて弾性部材によって弾性支持される圧着片が前記回転軸の内側下向きに尖って形成されるため、前記カバーフレームに加えられる押力などの外部衝撃によって前記カバーフレームが前記固定フレームから分離されることをより容易に防止することができることはもちろん、前記カバーフレームの回転軸の下部と前記圧着片の下部との間の上下幅を大きく減らしてスリム化することができる効果がある。
【００３１】
そして、前記固定フレームの突出部、前記カバーフレームの連結片及び前記固定フレームの軸溝が同じ中心の円弧状に形成されるため、前記カバーフレームが前記固定フレームに干渉されることなく円滑に前記固定フレームを開閉することができる効果がある。
【００３２】
また、前記固定フレームの軸溝の開放角度が１８０°以上２７０°以下であるため、前記固定フレームの軸溝に前記カバーフレームの回転軸をより簡便に直下結合することができるだけでなく、前記カバーフレームが前記固定フレームを開閉する過程の中で、前記軸溝内に直下結合された前記回転軸が離脱されることを防止することができる効果がある。
【００３３】
そして、前記固定フレームの内側上部に形成されて前記弾性部材を加圧する加圧片のため、前記固定フレームと前記カバーフレームを組み立てるために前記上部フレームの圧着片が前記固定フレーの突出部と前記弾性部材との間の隙間を通るのに前記弾性部材が妨害要素として作用する恐れがない効果がある。
【００３４】
また、前記固定フレームの加圧片の下部に形成されて前記カバーフレームの圧着片の上部に形成された挿入溝に挿入される挿入突起のため、前記カバーフレームが前記固定フレームを閉鎖した状態をより容易に維持する効果がある。
【００３５】
そして、前記カバーフレームの中間部の下部に形成される支持片が前記固定フレームに安着されて前記カバーフレームを支持するため、前記カバーフレームが押力などの外部衝撃によって押されて加圧されることをより容易に防止することができ、前記カバーフレームが前記固定フレームから押力などの外部衝撃によって分離されることをより容易に防止する効果がある。
【００３６】
また、前記固定フレームの他側に形成された垂直板部に前記固定フレームの一側方向に一定長さで水平延長される上板部の一端の下側に形成された前記突出部の軸溝に前記カバーフレームの回転軸が挿入されるため、前記カバーフレームの一側が前記固定フレームの上部方向に回転移動して前記カバーフレームが前記固定フレームを開放する場合、前記カバーフレームが前記固定フレームの他側外部方向にめくられながら外れないようになり、そのため前記固定フレームが建物の壁体などの構造物の内側溝に固定されている場合、前記カバーフレームが前記構造物と接することで干渉される恐れがなく、前記カバーフレームが前記固定フレームをより容易に開放することができて、前記カバーフレームが前記固定フレームをより容易に開放することができるため、本発明である非干渉前面開閉型フレームの構造を額縁フレーム、ドアフレームなどの産業材の金属家具または建築の建具フレームなどに拡張適用することが非常に容易な効果がある。
【図面の簡単な説明】
【００３７】
【図１】本発明の一実施例である非干渉前面開閉型フレームの構造を概略的に示す斜視図
【図２】図１の分離斜視図
【図３】一実施例のカバーフレームが一実施例の固定フレームを閉鎖した状態を概略的に示す正面
【図４】一実施例のカバーフレームが一実施例の固定フレームを開放する過程を概略的に示す正面図
【図５】一実施例のカバーフレームが一実施例の固定フレームを開放する過程を概略的に示す正面図
【図６】一実施例の固定フレームに一実施例のカバーフレームが結合される過程を順次に示す正面図
【図７】一実施例の固定フレームに一実施例のカバーフレームが結合される過程を順次に示す正面図
【図８】一実施例の固定フレームに一実施例のカバーフレームが結合される過程を順次に示す正面図
【図９】一実施例の固定フレームに一実施例のカバーフレームが結合される過程を順次に示す正面図
【図１０】一実施例の固定フレームに一実施例のカバーフレームが結合される過程を順次に示す正面図
【図１１】壁体、建具の枠、家具の枠などの構造物の内側溝に設置された一実施例のカバーフレームが一実施例の固定フレームを開放する過程を概略的に示す正面図
【図１２】壁体、建具の枠、家具の枠などの構造物の内側溝に設置された一実施例のカバーフレームが一実施例の固定フレームを開放する過程を概略的に示す正面図
【発明を実施するための形態】
【００３８】
以下、本発明の好ましい実施例を添付した図面によってより詳細に説明する。もちろん、本発明の権利範囲は下記実施例に限らず、本発明の技術的要旨を逸脱しない範囲内で該当技術分野の通常の知識を有する者によって多様に変形実施可能である。
【００３９】
図１は本発明の一実施例である非干渉前面開閉型フレームの構造を概略的に示す斜視図であり、図２は図１の分離斜視図である。
【００４０】
本発明の一実施例である非干渉前面開閉型フレームの構造は、図１及び図２に示したように、大きく固定フレーム１０と、前記固定フレーム１０に回転結合されるカバーフレーム２０と、前記カバーフレーム２０の間に介在される弾性部材３０と、を含んで構成される。
【００４１】
図３は一実施例のカバーフレームが一実施例の固定フレームを閉鎖した状態を概略的に示す正面図であり、図４及び図５は一実施例のカバーフレームが一実施例の固定フレームを開放する過程を概略的に示す正面図である。
【００４２】
まず、前記固定フレーム１０の上部一端の下側に前記固定フレーム１０の一側方向に膨らんで(前記固定フレームには一端の下側方向に一側方向が膨らんで形成される突出部と)湾曲形成される突出部１３０が形成される。
そして、前記突出部１３０の内側に内側下向きに開放形成される軸溝１２２（図６を参照）が形成される。
【００４３】
より詳しくは、一例として、前記固定フレーム１０の他側に前記固定フレーム１０の上下方向に垂直延長形成される垂直板部１１０の上端部には、図３乃至図５に示したように、前記固定フレーム１０の一側方向に一定長さに水平延長される上板部１２１が形成される。
前記上板部１２１の一端の下側に前記突出部１３０が形成される。
【００４４】
そして、前記固定フレーム１０の上板部１２１の下部方向に位置するように、前記垂直板部１１０の一側面の中間部位には前記固定フレーム１０の一側方向に一定長さで水平延長される安着板１２０が形成される。
前記安着板１２０の一側上部に前記安着板１２０の上部方向に一定長さで突出される突出板１３１が形成され、前記突出板１３１の上部は前記突出板１３１の一側方向に一定長さで水平折曲形成される。
【００４５】
次に、前記カバーフレーム２０の他側には前記軸溝１２２に挿入される球状などからなる回転軸２１１と、前記回転軸２１１に内側下向きに尖って形成され、前記弾性部材３０によって弾性支持され、上部と下部が鋭角を成す状態で前記回転軸２１１に内側下向きに尖って形成される圧着片２２０と、前記カバーフレーム２０の他端と前記圧着片２２０を連結する連結片２５０と、が備えられる。
そして、前記回転軸２１１と前記圧着片２２０との間に前記回転軸２１１と前記圧着片２２０を連結する連結部２２２が前記回転軸２１１に内側下向きに傾斜して形成される。
前記回転軸２１１が前記軸溝１２２内でより円滑に正逆回転されるようにするために、前記回転軸２１１の外径の大きさは前記軸溝１２２の内径の大きさより微小に小さく形成されることが好ましい。
【００４６】
図３乃至図５に示したように、前記カバーフレーム２０の他側に形成された前記回転軸２１１を基準に前記カバーフレーム２０の一側が作業者によって前記固定フレーム１０の上部方向に回転移動して前記カバーフレーム２０が前記固定フレーム１０を開放する場合、前記カバー上板部２１０が前記固定フレーム１０の他側外部位方向にめくられながら外れないようになる。
前記圧着片２２０は前記カバーフレーム２０の開閉力を向上させるためのものであって、前記圧着片２２０が前記弾性部材３０の上部の一側及び前記弾性部材３０の上部他側に位置する場合より前記弾性部材３０の上部一側と前記他側の間に位置する場合、前記弾性部材３０に図４に示したように相対的に大きい圧着弾性力が発生する。
【００４７】
つまり、図３に示したように、前記カバーフレーム２０が前記固定フレーム１０を閉鎖した場合、または図５に示したように前記カバーフレーム２０のカバー上板部２１０が前記固定フレーム１０を開放した場合、前記圧着片２２０が前記弾性部材３０を相対的に小さく圧着するようになってその状態が維持され、前記圧着片２２０が図４に示したように前記弾性部材３０の上部一側と前記弾性部材３０の上部他側の間に位置する場合には前記圧着板２２０が前記弾性部材３０を相対的に強く圧着するようになって大きい圧着弾性力が発生するため、圧着弾性力が少なく発生する部分に移動しようとする傾向によって前記カバーフレーム２０が閉鎖または開放される方向に回転するようになる。
【００４８】
次に、前記突出部１３０の湾曲長さに応じて前記軸溝１２２の開放角度αが変化されるが、特に前記軸溝１２２内に前記回転軸２１１をより簡便に直下結合及び前記カバー上板部２１０が前記固定フレーム１０を開閉する過程の中で、前記軸溝１２２内に直下結合された前記回転軸２１１に離脱されることを防止するために、図３に示したように前記固定フレーム１０の軸溝１２２の開放角度αは１８０°以上２７０°以下であることが好ましく、より好ましくは、２０５°であることが好ましい。
【００４９】
前記固定フレーム１０の軸溝１２２の開放角度αが１８０°未満であれば、前記軸溝１２２の開放角度αが小さすぎて、前記軸溝１２２に前記回転軸２１１を容易に直下結合させることが難しい問題点がある。
前記固定フレーム１０の軸溝１２２の開放角度αが２７０°超過であれば、前記軸溝１２２の開放角度αが大きすぎて、前記カバーフレーム２０が前記固定フレーム１０開閉する過程の中で前記軸溝１２２に直下結合された前記回転軸２１１が前記軸溝１２２の外部に離脱される恐れがある問題点がある。
【００５０】
次に、前記カバーフレーム２０が前記固定フレーム１０の干渉なしに円滑に前記固定フレーム１０を開閉するようにするために、前記固定フレーム１０の突出部１３０、前記カバーフレーム２０の連結片２５０、及び前記固定フレーム１０の軸溝１２２全ては同じ中心、つまり、回転軸２１１の中心を基準に円弧状に形成される。
【００５１】
次に、前記弾性部材３０は、前記カバーフレーム２０と前記固定フレーム１０の間に位置するように前記固定フレーム１０の安着板１２０の上部に安着して備えられた状態で前記カバーフレーム２０の圧着片２２０の下部を弾性支持し、前記カバーフレーム２０の開閉状態を維持する。
前記弾性部材３０は板バネからなってもよいが、必ずしもこれに限ることはなく、前記カバーフレーム２０の開閉状態を維持できるものであれば全て使用可能である。
【００５２】
前記弾性部材３０が前記安着板１２０の一側から前記安着板１２０の他側方向に左右移動しながら流動されないように、前記弾性部材３０を安定的に位置固定させるための固定片１４０が更に備えられる。
前記固定片１４０は、他側固定片１４１と一側固定片１４２で構成される。
【００５３】
前記他側固定片１４１は、前記上板部１２１と前記安着板１２０のと間に位置するように、前記垂直板部１１０の一側面から前記弾性部材３０の他側方向に突出形成されて前記弾性部材３０の他側に接する。
前記一側固定片１４２は、前記安着板１２０の一側上部に形成された前記突出片１３１の他側面から前記弾性部材３０の一側方向に突出形成されて前記弾性部材３０の一側に接する。
【００５４】
次に、図３に示したように、前記カバーフレーム２０の回転軸２１１を基準に前記カバー上板部２１０の一側が作業者によって前記固定フレーム１０の一側方向に回転移動して下降した状態で前記固定フレーム１０を閉鎖する場合、前記カバーフレーム２０と前記固定フレーム１０の上板部１２１が同一水平線上に配置または互いに外れるように配置されるが、
【００５５】
好ましくは、前記カバーフレーム２０と前記固定フレーム１０の上板部１２１が同一水平線上に配置されるようにして前記カバーフレーム２０と前記上板部１２１が上下方向に互いに外れないようにすると共に、前記カバーフレーム２０と前記固定フレーム１０の上板部１２１のと間の隙間がほとんど発生しないようにして、本発明の非干渉前面開閉型フレームの外観の美麗さが更に向上されるようにすることが好ましい。
【００５６】
次に、前記カバーフレーム２０の中間部の下部には、前記固定フレーム１０の安着板１２０の一側上部に形成された突出片１３１の上部方向に一定長さで突出形成されて前記固定フレーム１０の安着板１２０の一側上部に形成された、前記突出片１３１の上部に安着される支持片２３０が形成される。
【００５７】
前記カバーフレーム２０が前記固定フレーム１０を閉鎖した場合、前記カバーフレーム２０の支持片２３０の下部は前記固定フレーム１０のの案着板１２０の一側上部に形成された前記突出片１３１の上部に安着され、前記カバーフレーム２０が水平を維持するように前記カバーフレーム２０を一定高さに安定的に支持することができる。
また、前記支持片２３０によって、前記カバーフレーム２０に加えられる押力などの外部衝撃に+よって前記カバーフレーム２０が押されて加圧されることをより容易に防止することができるため、前記カバーフレーム２０が前記固定フレーム１０から押力などの外部衝撃によって分離されることをより容易に防止することができるようになる。
【００５８】
一方、前記カバーフレーム２０が押されて加圧されても、作業者が前記カバーフレーム２０を前記固定フレーム１０の一側外部方向に無理やり移動させない限り、前記固定フレーム１０から前記カバーフレーム２０が容易に分離されなくなる。
【００５９】
図６乃至図１０は、一実施例の固定フレームに一実施例のカバーフレームが結合される過程を順次に示す正面図である。
次に、前記圧着片２２０の下部は前記垂直板部１１０の方向に「一」字型に水平延長形成される。
または、図８に示したように前記圧着片２２０の下部は前記垂直板部１１０の方向に下向きに傾斜して（＼）形成されてもよい。
【００６０】
このように、前記圧着片２２０の下部が水平延長形成されるか下向きに傾斜して形成されることで、前記回転軸２１１の下部と前記圧着片２２０の下部の間の上下の幅を大幅に減らしてスリム化することができる。
【００６１】
次に、図３に示したように前記連結片２５０の上部面と前記回転軸２１１の下側との間には、前記連結片２５０に対応する形状のガイド溝２４０が形成される。
前記カバーフレーム２０が図５に示したように前記固定フレーム１０を開放した場合、前記ガイド溝２４０内には前記固定フレーム１０の突出部１３０が挿入されて、前記回転軸２１１が前記軸溝１２２から離脱されることを防止するようになる。
【００６２】
次に、図６乃至図７に示したように、前記安着板１２０の上部に前記弾性部材３０が安着して備えられた状態で、図８及び図９に示したように、前記カバーフレーム２０が前記固定フレーム１０の一側から前記固定フレーム１０の他側方向に左右移動して、前記カバー上板部２１０の回転軸２１１が前記固定フレーム１０の上板部１２１の軸溝１２２内に直下結合された状態で簡便に組み立てられるが、これをより詳細に説明すると以下のようである。
【００６３】
まず、図８に示したように、前記固定フレーム１０の内側上部に位置するように前記固定フレーム１０の上板部１２１の下部面の中間部位には前記上板部１２１の下部方向に一定長さで突出されて前記弾性部材３０の上部を加圧する加圧片１５０が形成される。
【００６４】
図６及び図７に示したように、前記固定フレーム１０の安着板１２０の上部に前記弾性部材３０を安着させる過程の中で前記加圧片１５０が前記弾性部材３０の上部を前記安着板１２０の方向に加圧するようになり、そのため、図８に示したように、前記固定フレーム１０の上板部１２１の一端部に形成される前記突出部１３０の下部と前記弾性部材３０の上部の間に隙間Ｇが発生するようになる。
【００６５】
前記カバーフレーム２０の圧着片２２０が前記隙間Ｇを通って、図９及び図１０に示したように前記軸溝１２２の下部方向に前記回転軸２１１が位置した状態で前記弾性部材３０の弾性力によって前記回転軸２１１が上昇して、前記軸溝１２２内に簡便に直下結合される。
前記加圧片１５０によって前記固定フレーム１０と前記カバーフレーム２０を組み立てるために、前記カバーフレーム２０の圧着片２２０が前記固定フレーム１０突出部１３０と前記弾性部材３０のと間の隙間Ｇを通るのに前記弾性部材３０が妨害要素として作用する恐れがなくなる。
また、前記弾性部材３０の妨害なしに前記カバーフレーム２０の回転軸２２１１が前記固定フレーム１０の上板部１２１の軸溝１２２内に簡便に直下結合されることができて前記カバーフレーム２０と前記固定フレーム１０の相互組立性が大きく向上されるだけでなく、前記圧着片２２０の下部が特に下向きに傾斜して（＼）形成されている場合、前記カバーフレーム２０の圧着片２２０が前記隙間Ｇを通る過程の中で前記弾性部材３０を前記弾性部材３０の下部方向に更に加圧することができるようになって、前記カバーフレーム２０の圧着片２２０が前記隙間Ｇを通るのに前記弾性部材３０が妨害になる恐れが更になくなる。
【００６６】
次に、図８に示したように前記圧着片２２０の上部中心部には前記圧着片２２０の下部方向に一定深さで凹む挿入溝２２１が形成される。
そして、前記上板部１２１の下部の中心部に形成された前記加圧片１５０の下部一側には、前記圧着片２２０の挿入溝２２１の方向に突出されて前記挿入溝２２１内に挿入される挿入突起１５１が形成される。
前記突出片１５０の挿入突起１５１が前記圧着片２２０の挿入溝２２１内に挿入されることで、前記カバーフレーム２０のカバー上板部２１０が前記固定フレーム１０を閉鎖した状態をより容易に維持することができるようになる。
【００６７】
図１１及び図１２は、壁体、建具の枠、家具の枠などの構造物の内側溝に設置された一実施例のカバーフレームが一実施例の固定フレームを開放する過程を概略的に示す正面図である。
上述したように構成された本発明は、固定フレーム１０の他側に形成された垂直板部１１０の上端部に前記固定フレーム１０の一側方向に一定長さで水平延長される上板部１２１の一端の下側に形成された前記突出部１３０の軸溝１２２に前記カバーフレーム２０の回転軸２１１が挿入されるため、図１１及びず１２に示したように、前記カバーフレーム２０の一側が前記固定フレーム１０の上部方向に回転移動して前記カバーフレーム２０が前記固定フレーム１０を開放する場合、前記カバーフレーム２０が前記固定フレーム１０の他側の外部方向にめくられながら外れないようになり、そのため前記固定フレーム１０が建物の壁体などの構造物の内側溝３１に固定されている場合、前記カバーフレーム２０が前記構造物に接することで干渉される恐れがなく、前記カバーフレーム２０が前記固定フレーム１０をより容易に開放することができるため、本発明である非干渉前面開閉型フレームの構造を額縁フレーム、ドアフレームなどの産業材の金属家具または建築の建具フレームなどに拡張適用することが非常に容易になる効果がある。
【００６８】
特に、本発明は前記カバーフレーム２０の回転軸２１１を固定フレーム１０の軸溝１２２に簡便意直下結合させることができて前記カバーフレーム２０と固定フレーム１０の組み立てが非常に容易なだけでなく、前記軸溝１２２が形成される突出部１３０が前記固定フレーム１０の一端の下側方向に一側方向が膨らんで形成されると共に、前記カバーフレーム２０に備えられて弾性部材３０によって弾性支持される圧着片２２０が前記回転軸２１１の内側の下向きに尖って形成されるため、前記カバーフレーム２０に加えられる押力などの外部衝撃によって前記カバーフレーム２０が前記固定フレーム１０から分離されることをより容易に防止する効果がある。
【産業上の利用可能性】
【００６９】
本発明は、カバーフレームの回転軸を固定フレームの軸溝に簡便に直下結合させることができるため、前記カバーフレームと固定フレームの組み立てが非常に容易なだけでなく、前記軸溝が形成される突出部が前記固定フレームの一端の下側方向に一側方向が膨らんで形成されると共に、前記カバーフレームに備えられて弾性部材によって弾性支持される圧着片が前記回転軸の内側下向きに尖って形成されるため、前記カバーフレームに加えられる押力などの外部衝撃によって前記カバーフレームが前記固定フレームから分離されることをより容易に防止することができることはもちろん、前記カバーフレームの回転軸の下部と前記圧着片の下部との間の上下幅を大きく減らしてスリム化することができる効果がある。
そして、前記固定フレームの突出部、前記カバーフレームの連結片及び前記固定フレームの軸溝が同じ中心の円弧状に形成されるため、前記カバーフレームが前記固定フレームに干渉されることなく円滑に前記固定フレームを開閉することができる効果がある。
【００７０】
また、前記固定フレームの軸溝の開放角度が１８０°以上２７０°以下であるため、前記固定フレームの軸溝に前記カバーフレームの回転軸をより簡便に直下結合することができるだけでなく、前記カバーフレームが前記固定フレームを開閉する過程の中で、前記軸溝内に直下結合された前記回転軸が離脱されることを防止する効果がある。
そして、前記固定フレームの内側上部に形成されて前記弾性部材を加圧する加圧片のため、前記固定フレームと前記カバーフレームを組み立てるために前記上部フレームの圧着片が前記固定フレーの突出部と前記弾性部材との間の隙間を通るのに前記弾性部材が妨害要素として作用する恐れがない効果がある。
【００７１】
また、前記固定フレームの加圧片の下部に形成されて前記カバーフレームの圧着片の上部に形成された挿入溝に挿入される挿入突起のため、前記カバーフレームが前記固定フレームを閉鎖した状態をより容易に維持する効果がある。
そして、前記カバーフレームの中間部の下部に形成される支持片が前記固定フレームに安着されて前記カバーフレームを支持するため、前記カバーフレームが押力などの外部衝撃によって押されて加圧されることをより容易に防止することができ、前記カバーフレームが前記固定フレームから押力などの外部衝撃によって分離されることをより容易に防止する効果がある。
【００７２】
また、前記固定フレームの他側に形成された垂直板部に前記固定フレームの一側方向に一定長さで水平延長される上板部の一端の下側に形成された前記突出部の軸溝に前記カバーフレームの回転軸が挿入されるため、前記カバーフレームの一側が前記固定フレームの上部方向に回転移動して前記カバーフレームが前記固定フレームを開放する場合、前記カバーフレームが前記固定フレームの他側外部方向にめくられながら外れないようになり、そのため前記固定フレームが建物の壁体などの構造物の内側溝に固定された場合、前記カバーフレームが前記構造物と接することで干渉される恐れがなく、前記カバーフレームが前記固定フレームをより容易に開放することができて、前記カバーフレームが前記固定フレームをより容易に開放することができるため、本発明の非干渉前面開閉型フレームの構造を額縁フレーム、ドアフレームなどの産業材の金属家具または建築の建具フレームなどに拡張適用することが非常に容易な効果がある。
【図１】
0006542467.tif 000002
【図２】
0006542467.tif 000003
【図３】
0006542467.tif 000004
【図４】
0006542467.tif 000005
【図５】
0006542467.tif 000006
【図６】
0006542467.tif 000007
【図７】
0006542467.tif 000008
【図８】
0006542467.tif 000009
【図９】
0006542467.tif 000010
【図１０】
0006542467.tif 000011
【図１１】
0006542467.tif 000012
【図１２】
0006542467.tif 000013